(57)【要約】【課題】  外部から音声入力がなされたときに、画像の投影に関係なく画像を投影するための電源がオフでも音声出力できる省電力化されたプロジェクタを提供する。【解決手段】  画像を投影し、音声入力端子１０２を備え、音声入力端子１０２に入力された音声信号を増幅してスピーカー１０３に出力するプロジェクタであって、音声入力端子１０２への外部からの接続がされているか否かを検出し、この接続検出結果を出力する接続検出回路２１０と、音声信号を増幅する音声増幅器２３０と、接続検出結果が、音声入力端子１０２への外部からの接続がされていることを示す場合は、音声増幅器２３０に電源を供給する電源制御部２９０とを備えたプロジェクタである。【選択図】      図２
2006301263.tif 000002
【特許請求の範囲】
【請求項１】
画像を投影し、音声入力端子を備え、該音声入力端子に入力された音声信号を増幅してスピーカーに出力するプロジェクタであって、
前記音声入力端子への外部からの接続がされているか否かを検出し、この接続検出結果を出力する接続検出回路と、
前記音声信号を増幅する音声増幅器と、
前記接続検出結果が、前記音声入力端子への外部からの接続がされていることを示す場合は、前記音声増幅器に電源を供給する電源制御部と、
を備えたことを特徴とするプロジェクタ。
【請求項２】
請求項１記載のプロジェクタにおいて、
前記音声増幅器の温度を検出し、この温度検出結果を出力する温度検出回路と、
前記温度増幅器を冷却する冷却ファンと、
を備え、
前記電源制御部は、前記温度検出結果の示す温度が、予め設定した温度を超える場合には、前記冷却ファンへ電源を供給させるプロジェクタ。
【請求項３】
請求項２記載のプロジェクタにおいて、
前記電源制御部は、前記接続検出結果が、前記音声入力端子への外部からの接続がされていることを示した後、前記温度検出結果の示す温度が、前記予め設定した温度を超える場合には、前記冷却ファンへ電源を供給させるプロジェクタ。
【請求項４】
請求項２記載のプロジェクタにおいて、
前記電源制御部は、前記接続検出結果が、前記音声入力端子への外部からの接続がされなくなったことを示した後、前記温度検出結果の示す温度が、前記予め設定した温度を超える場合には、前記冷却ファンへ電源を供給させるプロジェクタ。
【請求項５】
請求項２〜４いずれかに記載のプロジェクタにおいて、
前記電源制御部は、前記検出結果の温度に応じて、前記冷却ファンへ供給する電源の電圧を変化させるプロジェクタ。
【請求項６】
画像を投影し、音声入力端子を備え、該音声入力端子に入力された音声信号を増幅してスピーカーに出力するプロジェクタの制御方法であって、
前記画像を投影しない前記プロジェクタの待機状態において、
前記音声入力端子への外部からの接続がされているか否かを検出するステップと、
前記音声入力端子への外部からの接続がされていることが確認された際に行われる、前記音声信号を増幅する音声増幅器に電源を供給するステップと、
を備えたことを特徴とするプロジェクタの制御方法。
【請求項７】
請求項６記載のプロジェクタの制御方法において、
前記音声増幅器の温度を検出するステップと、
検出された前記温度が、予め設定した温度を超えることが確認された際に行われる、前記音声増幅器を冷却する冷却ファンに対して電源を供給させるステップと、
を備えたことを特徴とするプロジェクタの制御方法。
【発明の詳細な説明】
【技術分野】
【０００１】
本発明は、映像を投射しないスタンバイ時に音声を入力し増幅するプロジェクタに関する。
【背景技術】
【０００２】
従来のプロジェクタは、電源が入り、ランプ点燈時には、入力された音声を増幅するなどして、音声を出力することができる。
【０００３】
例えば、入力される音声信号を信号処理する音声信号処理回路と、この音声信号回路に接続された音声ミュート回路とを具備して、音声ミュート回路によって所定期間音声をミュートする投写型画像表示装置が公知となっている（特許文献１参照）。
【０００４】
また、テレビの映像信号等の画像をスクリーン上に投射し、テレビ等の音声信号を増幅して、スピーカーに出力する音声回路を内蔵した液晶プロジェクタ装置が公知となっている（特許文献２参照）。
【０００５】
また、音声増幅装置と、録音・再生装置と、スイッチ部よりなる操作装置とを設けて、入力される音声信号を増幅し拡声し、音声信号を録音する多機能のオーバーヘッドプロジェクタが公知となっている（特許文献３参照）。
【０００６】
このように、プロジェクタは、映像の投影のみならず、投影された映像の説明をするための音声を増幅して出力することのできる拡声器としての機能も有していることが多い。
【特許文献１】特開平３−２１３０７０号公報
【特許文献２】特開２０００−６９３９７号公報
【特許文献３】実開平３−５８６２８号公報
【発明の開示】
【発明が解決しようとする課題】
【０００７】
しかしながら、プロジェクタは、音声を入力して音声増幅させた後音声出力させるように音声系統の機能のみを使用したいときに、プロジェクタの電源がオフで投影するためのランプが点燈していないような状態の場合には、音声端子に音声入力しても、それを出力できない。そのため、一度プロジェクタの電源を投入して、プロジェクタの機能を立ち上げる必要があった。
【０００８】
このため、音声のみを出力させたい場合は、一度プロジェクタを起動しなければならないため煩わしく、プロジェクタの使い勝手が悪いという問題があった。
【０００９】
そこで本発明の目的は、画像を投影するための電源がオフでランプを点燈させない状態においても、音声を出力可能にする使い勝手を向上させたプロジェクタを提供することである。
【課題を解決するための手段】
【００１０】
上記目的を達成するために、本発明のプロジェクタの第１の発明は、画像を投影し、音声入力端子を備え、該音声入力端子に入力された音声信号を増幅してスピーカーに出力するプロジェクタであって、
前記音声入力端子への外部からの接続がされているか否かを検出し、この接続検出結果を出力する接続検出回路と、
前記音声信号を増幅する音声増幅器と、
前記接続検出結果が、前記音声入力端子への外部からの接続がされていることを示す場合は、前記音声増幅器に電源を供給する電源制御部と、
を備えたプロジェクタである。
【００１１】
第２の発明は、第１の発明に記載のプロジェクタにおいて、
前記音声増幅器の温度を検出し、この温度検出結果を出力する温度検出回路と、
前記温度増幅器を冷却する冷却ファンと、
を備え、
前記電源制御部は、前記温度検出結果の示す温度が、予め設定した温度を超える場合には、前記冷却ファンへ電源を供給させるものである。
【００１２】
第３の発明は、第２の発明に記載のプロジェクタにおいて、
前記電源制御部は、前記接続検出結果が、前記音声入力端子への外部からの接続がされていることを示した後、前記温度検出結果の示す温度が、前記予め設定した温度を超える場合には、前記冷却ファンへ電源を供給させるものである。
【００１３】
第４の発明は、第２の発明に記載のプロジェクタにおいて、
前記電源制御部は、前記接続検出結果が、前記音声入力端子への外部からの接続がされなくなったことを示した後、前記温度検出結果の示す温度が、前記予め設定した温度を超える場合には、前記冷却ファンへ電源を供給させるものである。
【００１４】
第５の発明は、第２〜４の発明いずれかに記載のプロジェクタにおいて、
前記電源制御部は、前記検出結果の温度に応じて、前記冷却ファンへ供給する電源の電圧を変化させるものである。
【００１５】
第６の発明は、画像を投影し、音声入力端子を備え、該音声入力端子に入力された音声信号を増幅してスピーカーに出力するプロジェクタの制御方法であって、
前記画像を投影しない前記プロジェクタの待機状態において、
前記音声入力端子への外部からの接続がされているか否かを検出するステップと、
前記音声入力端子への外部からの接続がされていることが確認された際に行われる、前記音声信号を増幅する音声増幅器に電源を供給するステップと、
を備えたプロジェクタの制御方法である。
【００１６】
第７の発明は、第６の発明に記載のプロジェクタの制御方法において、
前記音声増幅器の温度を検出するステップと、
検出された前記温度が、予め設定した温度を超えることが確認された際に行われる、前記音声増幅器を冷却する冷却ファンに対して電源を供給させるステップと、
を備えた制御方法である。
【００１７】
本発明は、プロジェクタが映像を投射しないスタンバイ状態のときに、接続検出回路および電源制御部並びに温度検出回路には電源が入った待機状態となっており、接続検出回路は、外部音声装置の音声入力端子への接続の有無を検出する。この接続の有無を中央処理装置が監視しており、音声入力端子が接続された場合、中央処理装置が電源供給命令を出して、音声増幅器に電源が入ることにより、音声増幅に接続されたスピーカーから音声出力が可能となる。
【００１８】
さらには、温度検出回路の温度検出により、予め設定した温度よりも高いときには、中央処理装置が冷却ファンに源供給命令を出して、この電源供給により冷却ファンを回転させることで、プロジェクタ筐体内の音声増幅器を冷却し、プロジェクタ筐体内の温度を制御することが可能となる。
【発明の効果】
【００１９】
本発明によれば、外部から音声入力がなされたときに、画像の投影に関係なく音声出力できる省電力化されたプロジェクタを提供することができる。
【発明を実施するための最良の形態】
【００２０】
本発明を実施するための形態について図面を参照して詳細に説明する。
【００２１】
本実施形態のプロジェクタは、入力された画像データに示される画像を投影し、音声入力端子を備え、外部音声装置から音声入力端子に入力された音声信号を増幅してスピーカーに出力するものである。
【００２２】
図１は、本実施形態のプロジェクタの構成例を示すブロック図である。
【００２３】
図１を参照すると、プロジェクタは、プロジェクタに表示する画像の映像信号（画像信号）を外部から画像データとして入力する画像入力端子１０１と、入力された画像データを処理する映像処理部１２０と、映像処理部１２０で処理された画像データを映像化するための表示デバイス１５０と、表示デバイス１５０を駆動させる駆動回路１８０と、外部音声装置からの音声信号を入力する音声入力端子１０２と、音声入力端子１０２から入力された音声信号を処理する音声処理部１１０と、音声処理部１１０で処理された音声を出力するスピーカー１０３と、後述する温度増幅器２３０（図２参照）などのプロジェクタ構成部品やプロジェクタ筐体内を冷却する冷却ファン１４０と、プロジェクタの動作を命令する遠隔制御器（以下、リモートコントローラと称する）１３１と、プロジェクタの動作を命令する操作部（以下、キーと称する）１３２と、リモートコントローラ１３１からの命令を処理したり冷却ファン１４０などのプロジェクタ構成部位を制御する制御部１３０と、プロジェクタの光源となるランプ１７０と、映像処理部１２０で処理された画像データを表示する表示デバイス１５０と、表示デバイス１５０に表示された映像（画像）を投射するレンズ１７０とを備えて構成されている。
【００２４】
キー１３２は制御部１３０に接続され、制御部１３０はランプ１６０に接続され、駆動回路１８０は表示デバイスに接続され、制御部１３０は駆動回路１８０に接続され、冷却ファン１４０は制御部１３０に接続され、制御部１３０は映像処理部１２０に接続され、制御部１３０は音声処理部１１０に接続されている。
【００２５】
画像入力端子１０１は映像処理部１２０に接続され、映像処理部１２０は表示デバイス１５０に接続され、音声入力端子１０２は音声処理部１１０に接続され、音声処理部１１０はスピーカー１０３に接続され、リモートコントローラ１３１は制御部１３０に電気的に接続されるかもしくは光通信などで接続され、表示デバイス１５０はランプ１６０に臨んで設けられ、レンズ１７０は表示デバイス１５０に臨んで設けられている。
【００２６】
リモートコントローラ１３１は、電気的に制御部１３０に接続されるか、もしくは赤外線通信、電磁波通信などによって制御部１３０と繋がっており、ユーザがリモートコントローラ１３１を操作することによって、ユーザがプロジェクタに出した命令を制御部１３０に送信する機能を有する。
【００２７】
キー１３２は、例えばプロジェクタの図示しない筐体のユーザが操作しやすい位置に設けられ、リモートコントローラ１３１と同様ユーザがキー１３２を操作することによって、プロジェクタに出した命令を制御部１３０に送信する操作機能を有する。
【００２８】
制御部１３０は、リモートコントローラ１３１もしくはキー１３２からの命令を処理し、ランプ１６０を点燈させる指示を出したり、冷却ファン１４０のファンを回転させる指示を出したり、映像処理部１２０へ画像の拡大、縮小など必要な指示を出したり、スピーカー１０３から出力する音声の音量を調整させる指示を音声処理部１１０へ出したりする機能を有する。
【００２９】
表示デバイス１５０は、ＬＣＤ（Liquid Crystal Display：液晶表示装置）などで構成され、ランプ１６０の光を透過させることにより、表示デバイス１５０上に表示された映像をレンズ１７０に向けて投影する機能を有する光学デバイスである。
【００３０】
駆動回路１８０は、表示デバイス１５０をドライブする駆動電力を出力し、この駆動回路１８０から出力された駆動電力と映像処理部１２０から出力された画像データ（映像信号）とによって、投射するための画像を表示デバイス１２０に表示させるためのドライブ回路である。
【００３１】
次に、図１に示したプロジェクタの動作について、詳細に説明する。
【００３２】
プロジェクタは、電源投入後、プロジェクタのユーザがリモートコントローラ１３１もしくはキー１３２にキー入力することにより命令を発した時に、その命令をリモートコントローラ１３１もしくはキー１３２から制御部１３０に送信する。そのリモートコントローラ１３１もしくはキー１３２からの命令を受けた制御部１３０は、冷却ファン１４０の回転や、ランプ１６０の点燈などの制御を行い、プロジェクタの構成各部位の動作の制御をつかさどる。
【００３３】
画像入力端子１０１には、外部から映像信号（画像信号）が入力され、画像入力端子１０１に入力された映像信号（画像信号）は、画像入力端子１０１から映像処理部１２０に入力される。
【００３４】
映像処理部１２０に入力された映像信号（画像信号）は、表示デバイス１５０に映像を表示可能となるように信号変換するなどの処理が行われた後、表示デバイス１５０に出力される。表示デバイス１５０においては、映像処理部１２０から入力された映像信号（画像信号）と駆動回路１８０から出力された表示デバイス１５０を駆動させる駆動させる駆動信号とが入力されることにより、表示デバイス１５０に入力された映像信号に基づいた映像が表示される。
【００３５】
表示デバイス１５０に表示された映像（画像）は、ランプ１６０の発する光を表示デバイスが１５０が透過し、透過した光がレンズに向かうことにより、図示しないスクリーンなどに所望の映像（画像）が投射される。
【００３６】
音声入力端子１０２には、外部音声装置から音声信号が入力され、この外部から音声入力端子１０２に入力された音声信号は、音声入力端子１０２から音声処理部１１０に入力される。
【００３７】
音声処理部１１０に入力された音声信号は、スピーカー１０３に音量の大きな音声を出力可能となるように電力増幅するなどの処理が行われた後、スピーカー１０３に出力される。スピーカー１０３は、この電力増幅された音声信号を音に変換して音声として出力する。
【００３８】
次に、図１に示したプロジェクタの音声処理部１１０の構成を図２に示す。
【００３９】
図示したように、音声処理部１１０は、音声入力端子１０２に接続され外部音声装置からの音声信号を入力する処理部音声入力端子２００と、処理部音声入力端子２００に音声出力端子１０２を介して外部音声装置が接続されているか否かを検出する接続検出回路２１０と、処理部音声入力端子２００に入力された音声信号を増幅するための音声増幅器２３０と、音声増幅器２３０で増幅された音声信号をスピーカー１０３に出力する処理部音声出力端子２０５と、音声増幅器２３０の温度検出を行う温度検出回路２３５と、外部音声装置が接続されていることを示す場合は、音声増幅器２３０に電源を供給する電源制御部２９０とを備えて構成されている。
【００４０】
電源制御部２９０は、音声増幅器２３０に電源を供給する第１の電源Ｒｅｇ１と、冷却ファン１４０に電源を供給する第２の電源Ｒｅｇ２と、接続検出回路２１０の検出結果に基づいて第１の電源Ｒｅｇ１に電源を出力させる命令を出し、温度検出回路２３５の検出結果に基づいて第２の電源Ｒｅｇ２に電源を出力させる命令を出す中央処理装置（一般に、ＣＰＵ（Central Processing Unit）と称されるものを指す）２５０とを備えて構成されている。
【００４１】
処理部音声入力端子２００は接続検出回路２１０に接続され、接続検出回路２１０は音声増幅器２３０に接続され、音声増幅器２３０は処理部音声出力端子２０５に接続され、処理部音声出力端子２０５はスピーカー１０３に接続され、処理部音声入力端子２００は音声入力端子１０２（図１参照）に接続されている。
【００４２】
中央処理装置２５０は第１の電源Ｒｅｇ１に接続され、第１の電源Ｒｅｇ１は音声増幅器２３０に接続され、中央処理装置２５０は第２の電源Ｒｅｇ２に接続され、第２の電源Ｒｅｇ２は冷却ファン１４０に接続されている。
【００４３】
温度検出回路２３５は中央処理装置２５０に接続され、接続検出回路２１０は中央処理装置２５０に接続されている。
【００４４】
接続検出回路２１０は、処理部音声入力端子に２００に図１に示した音声入力端子１０２を介して、外部から図示しないマイクなどの集音装置もしくはＣＤ（Compact Disc）プレーヤーなどの外部音声装置が接続されている場合に、この接続の有無を検出して、検出結果を中央処理装置２５０に出力する機能を有する。
【００４５】
この音声入力端子１０２への外部からの接続がされているか否かの検出は、例えば、図示しない外部音声装置の音声出力線路が音声入力端子１０２に接続された際に、この音声出力線路により形成されるループに電流を流して、ループ状態を検出することにより、音声入力端子１０２に外部音声装置の音声出力線路が接続されたことを検出する。
【００４６】
また、入力される音声信号の振幅などを検出して、音声信号が入力されていることを検出し、外部音声装置の音声出力線路が音声入力端子１０２に接続されたことを検出してもよい。
【００４７】
中央処理装置２５０は、接続検出回路２１０の接続検出結果が、音声入力端子１０２への外部からの接続がされていることを示す場合には、音声増幅器２３０に電源を供給するために第１の電源Ｒｅｇ１に対して電源供給の命令（指示）を出し、温度検出回路２３５の温度検出結果が、予め設定した温度を超える場合には、冷却ファン１４０へ電源を供給するために第２の電源Ｒｅｇ２に対して電源供給の命令（指示）を出す機能を有する。
【００４８】
音声増幅器２３０は、必要に応じてＡＧＣ（Automatic Gain Control：自動利得制御）が行われ、外部音声装置から入力された音声信号を電力増幅する機能を有する。
【００４９】
温度検出回路２３５は、プロジェクタ筐体内の音声増幅器２３０、ランプ１６０など熱を発する構成部品の近傍に設けられるとよく、熱を発する構成部品周辺の温度を検出する機能を有する。
【００５０】
温度検出回路２３５の具体的な例として、温度−抵抗特性を有するサーミスタを用いて、温度に対応したこのサーミスタの抵抗値を検出して、温度を測定するものがある。
【００５１】
次に、図２に示したプロジェクタの音声処理部１１０の動作について、図１、図２を参照して詳細に説明する。
【００５２】
ここで、まずプロジェクタの主電源スイッチである図示しないバケーションスイッチがオンの状態であり、かつリモートコントローラ１３１もしくはキー１３２による操作指示は、ランプ１６０を消燈させており、映像処理部１２０の系統の回路が動作していないプロジェクタの待機状態（スタンバイ状態）の状態を想定する。
【００５３】
プロジェクタが画像を投射しない待機状態のときにも、接続検出回路２１０および電源制御部２９０の中央処理装置２５０並びに温度検出回路２３０には電源が常に入った待機状態となっており、待機状態においても、必要に応じていつでも接続検出回路２１０による接続検出、温度検出回路２３５による温度検出、中央処理装置２５０による第１の電源Ｒｅｇ１、第２の電源Ｒｅｇ２への指示が出せるようになっている。
【００５４】
次に、このプロジェクタがスタンバイの状態において、音声入力端子１０２（図１参照）を介して処理部音声入力端子２００（図２参照）に集音装置などの外部音声装置が接続されると、接続検出回路２１０は、この外部音声装置の接続の有無をループ検出などによって検出する。
【００５５】
前述したこのループ検出結果もしくは検出された音声信号の振幅などは、一般的にアナログ信号であるため、必要に応じてＡ／Ｄ変換等の信号処理を行って中央処理装置２５０が処理可能な２進数の論理信号にされた後、接続検出回路２１０は、この信号処理された接続検出結果を中央処理装置２５０に出力する。
【００５６】
接続検出回路２１０からこの接続検出結果を受け取った中央処理装置２５０は、この接続検出結果から音声入力端子１０２に外部音声装置が接続されているか否かを判定し、外部音声装置が接続されていると判断した場合には、第１の電源Ｒｅｇ１に所望の第１の電圧値の電源を音声増幅器２３０に供給するように命令が送られる。
【００５７】
この中央処理装置２５０からの命令を受けた第１の電源Ｒｅｇ１は、音声増幅器２３０に必要な所望の第１の電圧値の電源を音声増幅器２３０に出力する。
【００５８】
これより、音声増幅器２３０に電源が入り、音声増幅器２３０は、入力された音声信号を電力増幅して、処理部音声出力端子２０５を介してスピーカー１０３に出力し、スピーカー１０３からの音声出力が可能となる。
【００５９】
例えば、外部音声装置としてのＣＤプレーヤーの音声出力端子をプロジェクタの音声入力端子１０２に接続することで、プロジェクタのランプ等の映像系統に電源を入れずに音楽を視聴ことが可能になるし、教室等で使用する場合には外部音声装置としてマイク（集音装置）をプロジェクタの音声入力端子１０２に接続することで、プロジェクタを拡声機の代わりとして使用したりすることが可能である。
【００６０】
この音声出力の際、音声出力の大きいスピーカー１０３を使用している場合には、音声増幅器２３０の電力増幅も大きいため音声増幅器２３０からの放熱が顕著である。
【００６１】
このとき、温度増幅器２３０の近傍に設けられた温度検出回路２３５は、音声増幅器２３０の放熱による周囲の温度に対応した抵抗値を示すサーミスタの抵抗値を検出する。この抵抗値から、サーミスタの有する温度−抵抗特性に基づいてサーミスタの検知した温度を算出する。
【００６２】
この温度算出の結果は、一般的にアナログ信号であるため、必要に応じてＡ／Ｄ変換等の信号処理を行って中央処理装置２５０が処理可能な２進数の論理信号にされた後、接続検出回路２１０は、この信号処理された温度検出結果を中央処理装置２５０に出力する。
【００６３】
当然、温度検出回路２３５が音声増幅器２３０に接しているような場合には、音声増幅器２３０の周辺やプロジェクタ筐体内の温度の検出の代わりに、音声増幅器２３０の温度を直接検出することも可能である。
【００６４】
温度検出回路２３５からこの温度検出結果を受け取った中央処理装置（ＣＰＵ）２５０は、この温度検出結果の示す温度から音声増幅器２３０の温度（もしくは、温度増幅器２３０の周囲の温度）が、予め設定した過熱温度よりも高いか否かを判定し、この検出した温度が予め設定した過熱温度（ある一定の温度）よりも高いと判断した場合には、第２の電源Ｒｅｇ２に所望の電圧値の電源を供給するように命令が送られる。
【００６５】
この中央処理装置２５０からの命令を受けた第２の電源Ｒｅｇ２は、冷却ファン１４０のファンの回転に必要な所望の電圧値を冷却ファン１４０に出力し、冷却ファン１４０のファンが所望の回転数で回転し、音声増幅器２３０の放熱によるプロジェクタ筐体内の温度を下げることができる。
【００６６】
この冷却ファン１４０は、ランプ１６０からの熱をプロジェクタ筐体の外に排出したりプロジェクタ筐体内を冷却したりするために装備されているので、これを用いて音声増幅器２３０をも冷却することが可能となっている。
【００６７】
冷却ファン１４０は、プロジェクタのランプ１６０が点燈して、レンズ１７０から画像が投影される際には、従来技術同様に温度検出回路２３５の温度検出結果にかかわらず、冷却ファン１４０を回転させてもよいし、本実施形態の音声信号入力時と同様に温度検出回路２３５の温度検出結果により冷却ファン１４０を回転させてもよい。
【００６８】
図２の動作についてのここまでの説明は、音声入力端子１０２に外部音声装置が接続されて、音声がスピーカー１０３から出力される場合であるが、次に、音声入力端子１０２に外部音声装置が接続されていないか、外部音声装置が接続されていたが音声入力端子１０２から既に外されており、プロジェクタのバケーションスイッチがオンの状態であり、かつリモートコントローラ１３１もしくはキー１３２による操作は、ランプ１６０を消燈させており、プロジェクタがスタンバイの状態である場合を説明する。
【００６９】
スタンバイ状態では、ランプ１６０は点燈しておらず、かつ温度増幅器２３０にも第１の電源Ｒｅｇ１から電源が供給されていない。このとき、温度増幅器２３０の近傍に設けられた温度検出回路２３５は、音声増幅器２３０の周囲の温度を検出し、この温度検出結果を中央処理装置２５０に出力する。
【００７０】
温度検出回路２３５からこの温度検出結果を受け取った中央処理装置（ＣＰＵ）２５０は、この温度検出結果から音声増幅器２３０の周囲の温度を予め設定した過熱温度よりも低いと判定する。この判定により、中央処理装置（ＣＰＵ）２５０は、この温度検出結果を更に詳細に判定して、冷却ファン１４０のファンの回転が必要か否かを判断する。
【００７１】
中央処理装置２５０は、この温度検出結果が冷却ファン１４０のファンの回転が必要ない程低い温度であると判断した場合には、第２の電源Ｒｅｇ２には電源供給の命令は送られない。
【００７２】
温度検出結果が、冷却ファン１４０のファンの回転が必要なある一定の低い温度であると判断した場合には、第２の電源Ｒｅｇ２にこの温度検出結果に応じた所望の低い電圧値の電源を冷却ファン１４０に供給するように命令が送られる。
【００７３】
この中央処理装置２５０からの命令を受けた第２の電源Ｒｅｇ２は、この温度検出結果に対応して出力する電源の電圧を低く変化させ、この変化した電源の電圧により冷却ファン１４０が低い回転数で回転し、プロジェクタ筐体内の温度を下げることができる。
【００７４】
ここで、冷却ファン１４０の回転数を変化させるために、第２の電源Ｒｅｇ２の出力電圧を変化させることを説明したが、これに限らず、例えば冷却ファン１４０が交流電源で回転するファンである場合には、冷却ファン１４０に供給する電源の電圧を変化させる代わりに、冷却ファン１４０に供給する電源の周波数を変化させることで冷却ファン１４０の回転数を変化させてもよい。
【００７５】
スタンバイ状態では、ランプ１６０は点燈しておらず、かつ温度増幅器２３０にも第１の電源Ｒｅｇ１から電源が供給されていないので、ランプ１６０が点燈し、温度増幅器２３０に電源が供給されている場合に比べてプロジェクタ筐体内の温度が高くならない。
【００７６】
このため、中央処理装置２５０は、スタンバイ状態の温度検出結果に基づいて、冷却ファン１４０の回転数を低く設定することができ、冷却ファン１４０の回転が必要ない程温度が低い場合には冷却ファン１４０の回転を止める指示をすることもできる。
【００７７】
このように、電源制御部２９０の中央処理装置２５０は、温度検出回路２３５の検出結果の温度に応じて、冷却ファン１４０へ供給する電源の電圧を変化させたりオンオフさせる指示を出すことが、プロジェクタ内筐体内の温度を制御することができる。
【００７８】
したがって、本実施形態のプロジェクタはプロジェクタ筐体内の温度によって、必要な場合に必要な回転数で冷却ファンを回転させるため冷却ファンによるファンノイズが小さいので、音声出力へ影響を与えることが少ない。
【００７９】
さらに、本実施形態のプロジェクタはプロジェクタ筐体内の温度によって、冷却ファンのファン回転が必要ない低い温度状態では、冷却ファンによるファンノイズは発生せず、音声出力への影響はなくなる。
【００８０】
このように本発明のプロジェクタは、スタンバイ状態および音声入力端子の音声入力時と、ランプを点燈させて映像を投影させる場合とで、それぞれ必要な構成箇所に電力を供給することができ、必要な場合に必要な回転数で冷却ファンを回転させることができるので、プロジェクタを省電力化できる。
【００８１】
このようなプロジェクタは、冷却ファンのファンノイズが小さいので、音声出力へ影響の少ないものを提供することができる。
【００８２】
また、冷却ファンによりプロジェクタ筐体内の温度を一定温度以下に下げることにより、筐体内の構成部品の熱による劣化を防ぐことができ、プロジェクタの信頼性を向上させることに寄与する。
【００８３】
以上説明したように本発明においては、以下に記載するような効果を奏する。
【００８４】
（１）プロジェクタは、電源を投入しなくても、音声入力端子から入力された音声信号を音声増幅器を介してスピーカーに出力することができるので、従来技術のような電源を投入してからでないと音声信号をスピーカーに出力できない使い勝手の悪さを解消して、使い勝手を向上させたプロジェクタを得られることである。
【００８５】
（２）また、プロジェクタは、音声入力端子に接続がある場合に音声増幅器などの音声系の回路の電源がオンとなるため、待機時の消費電力が少ないことも挙げられる。
【図面の簡単な説明】
【００８６】
【図１】本実施形態のプロジェクタの構成例を示すブロック図である。
【図２】本実施形態のプロジェクタの音声処理部の構成を示すブロック図である。
【符号の説明】
【００８７】
１０１    画像入力端子
１０２    音声入力端子
１０３    スピーカー
１１０    音声処理部
１２０    映像処理部
１３０    制御部
１３１    遠隔制御器（リモートコントローラ）
１３２    操作部（キー）
１４０    冷却ファン
１５０    表示デバイス
１６０    ランプ
１７０    レンズ
１８０    駆動回路
２００    処理部音声入力端子
２０５    処理部音声出力端子
２１０    接続検出回路
２３０    音声増幅器
２３５    温度検出回路
２５０    中央処理装置（ＣＰＵ）
２９０    電源制御部
Ｒｅｇ１    第１の電源
Ｒｅｇ２    第２の電源
【図１】
2006301263.tif 000003
【図２】
2006301263.tif 000004